(57)【要約】【課題】電子装置の回路主基板上に直接溶接固定できるモジュール化したアンテナ構造を提供する。【解決手段】モジュール化平板アンテナ構造であって：１つのアンテナユニットと、１つの連結ユニット、１つの回路板、１つの蓋体を含む。前記連結ユニットは、アンテナユニットと回路板を連結し、アンテナユニット上の信号フィード体の末端が回路板と電気接続し、アンテナユニットを回路板と垂直状態を呈して連結させ、電気回路板上に１つの蓋体を接合し、回路板が電磁波の妨害または外物の衝撃を受けないようにする。最後に、アンテナ構造と電子装置の回路主基板を連結する時、回路板を回路主基板に直接固定接合し、円極化平板アンテナユニットを天頂方向に向け、衛星信号受信に有利にすることができる。【選択図】  図２
0003132454.tif 000002
【実用新案登録請求の範囲】
【請求項１】
電子装置の回路主基板上に用いるアンテナ構造であって、
前記構造は１つのアンテナユニットを設け、該アンテナユニットは１つのベースを有し、該ベース表面に１つの輻射金属片を有し、該ベースの底面に１つの接地金属片を有し、該輻射金属片はベースおよび接地金属片を貫通する信号フィード体に電気接続するものであり、
前記信号フィード体末端と電気固定接続する１つの回路板と、
前記アンテナユニットと回路板を連結し、アンテナユニットを回路板と垂直状態を呈して連結させる１つの連結ユニットと
を含むことを特徴とするモジュール化平板アンテナ構造。
【請求項２】
前記アンテナユニットが、１つの立方体としてなることを特徴とする請求項１記載のモジュール化平板アンテナ構造。
【請求項３】
前記ベースが、１つの陶磁器媒質ベースであることを特徴とする請求項１記載のモジュール化平板アンテナ構造。
【請求項４】
前記ベース側辺が、４つの側面を有し、各側面間が側面面積より小さい面積の接合面を有し、連結ユニットとの接合を提供することを特徴とする請求項１記載のモジュール化平板アンテナ構造。
【請求項５】
前記ベースと、輻射金属片と、接地金属片との上に貫通孔を開設してなることを特徴とする請求項１記載のモジュール化平板アンテナ構造。
【請求項６】
前記信号フィード体がＴ形を呈し、１つの信号のフィード端とし、その上に１つの半円形端頭を有することを特徴とする請求項１記載のモジュール化平板アンテナ構造。
【請求項７】
前記連結ユニットは、アンテナユニット底部に接合し、その上に１つの底板を有し、前記底板上に１つの信号フィード体を貫通させる貫通孔を開設し、底板上に前記ベースと接合する複数のグリッパーを延伸し、前記コネクターの一側に凸部を凸設することを特徴とする請求項１記載のモジュール化平板アンテナ構造。
【請求項８】
前記コネクターが、Ｌ形であることを特徴とする請求項７記載のモジュール化平板アンテナ構造。
【請求項９】
前記連結ユニット上に１つの板体を有し、前記板体の一端にアンテナユニット上に嵌合する１つのラッチ部を有し、他端の両側に対称な回路板両側にグリップする２つのグリッパーを湾折することを特徴とする請求項１記載のモジュール化平板アンテナ構造。
【請求項１０】
前記板体がストリップ状であることを特徴とする請求項９記載のモジュール化平板アンテナ構造。
【請求項１１】
前記ラッチ部が、Ｌ形を呈することを特徴とする請求項９記載のモジュール化平板アンテナ構造。
【請求項１２】
２つの連結ユニットが前記アンテナユニットと回路板の両側をグリップし、アンテナユニットに回路板と垂直状態を呈して連結させることを特徴とする請求項９記載のモジュール化平板アンテナ構造。
【請求項１３】
前記回路板上に１つのフィルターおよびアンプリファー等の回路を有することを特徴とする請求項１記載のモジュール化平板アンテナ構造。
【請求項１４】
前記回路上に１つのフィルター、アンプリファーおよびレシーバーモジュール等の回路を有することを特徴とする請求項１記載のモジュール化平板アンテナ構造。
【請求項１５】
前記レシーバーモジュールが、１つのＧＰＳ衛星ナビゲーション測位システムであることを特徴とする請求項１４記載のモジュール化平板アンテナ構造。
【請求項１６】
前記回路板上の一側に凸部を接合する１組の接合孔を有し、他側に２つの対称な切り口を有することを特徴とする請求項１記載のモジュール化平板アンテナ構造。
【請求項１７】
更に、回路板の切り口と接合する１つの蓋体を有し、前記蓋体上に１つの上板を有し、前記上板両側に２つの対称な側面板を湾折し、前記２つの側面板上にそれぞれ１つの凸部を有することを特徴とする請求項１記載のモジュール化平板アンテナ構造。
【請求項１８】
前記蓋体がＵ形を呈することを特徴とする請求項１７記載のモジュール化平板アンテナ構造。
【請求項１９】
前記アンテナ構造は、固定螺子または支持体のいずれか１つを利用し、アンテナ構造を回路主基板上に固定接続し、伝送配線および配線コネクターを通して電子装置の回路主基板と電気接続することを特徴とする請求項１記載のモジュール化平板アンテナ構造。
【考案の詳細な説明】
【技術分野】
【０００１】
本考案は、アンテナに関し、特に、衛星受信アンテナ構造等のモジュール化平板対称式アンテナ構造に関する。
【背景技術】
【０００２】
ＧＰＳとは、「Global Position System」の略称であり、所謂全地球衛星測位システムである。ＧＰＳの測位方式は、基本的に三角測位原理を利用し、無線信号伝送時間を測量し、距離を測量し、3箇所以上の衛星を交差照合し、同時に信号受信速度と時間から換算し衛星距離を取得し、ＧＰＳレシーバー内臓の電子地図に合わせて進行方位の識別を行う。
【０００３】
現在、車両用衛星ナビゲーションシステムも、急速に風潮が起こり、また車内音声システムと結合する車載式以外に、ＰＤＡ、ノートパソコン、携帯電話式等の多種のＧＰＳ製品にも発展し、そのうち、車の持ち主と密接な関係にあるのは、可携帯式車両用ＧＰＳに勝るものがない。車両に配備できない工場出荷のＧＰＳは車主にとって、可携帯式車両用ＧＰＳは、確実にすばらしい選択であり、価格がより親和力を備えている以外に、その可携帯式特性が使用者に車から持って下りて使用させることができ、以後車を交換しても同様に使用することができる。
【０００４】
ＧＰＳおよびＰＤＡ、ノートパソコン、携帯電話式等の多種の電子製品に整合し使用する時、いずれも電子装置には、ＧＰＳ信号受信アンテナ構造を内蔵し、図１に示すように、前記アンテナ構造は、アンテナユニット１Ａを平らに横たわらせて回路基板上に溶接し、回路板２Ａを殻体３Ａの固定溝３１Ａに嵌合して固定した後、導線４Ａにより回路板２Ａと電子装置の回路主基板５Ａとの間に連結する。アンテナユニット１Ａは、衛星信号を受信し、回路板２Ａの処理を経過した後、導線４Ａにより回路主基板５Ａ上に伝達され、電子装置上に衛星ナビゲーションシステムデータを表示する。但し、この種のアンテナ構造の固定実装方式は、製造上、工程時間、工程手順がかかり過ぎ、製造コストも相対して増加する。
【特許文献１】特開２００６−１２０６６６号公報
【考案の開示】
【考案が解決しようとする課題】
【０００５】
本考案は、上記の問題点に鑑みてなされたもので、モジュール化した平板アンテナ構造において、アンテナ構造が電子装置の回路主基板上に直接表面粘着し溶接するかまたは機構を機体内に固定し、平板アンテナが天頂に向く指向性を維持きるようにし、モジュール化部材がシステム設計を更に柔軟、簡単、容易にし、また、製造コストを低減させることを目的とする。
【課題を解決するための手段】
【０００６】
上記の目的を達成するため、本考案のモジュール化平板アンテナ構造は、１つのアンテナユニット、１つの連結ユニット、１つの回路板、１つの蓋体から構成される。
前記１つのアンテナユニットは、陶磁器媒質のベースを有し、前記ベース表面に１つの輻射金属片を有し、ベースの底面には、接地金属片を有し、前記ベース、輻射金属片および接地金属片上には、貫通孔を設け、前記貫通孔は、１つの信号フィード体を通過させ、前記信号フィード体の半円形端頭および前記輻射金属片は電気接続し、輻射金属片に信号受信端を形成させ、信号フィード体は、１つの信号のフィード端を形成し、信号フィード体の末端は接地金属片と連結しない。また、前記ベースの側辺は、４つの側面を有し、各側面間は接合面を有する。
【０００７】
１つの連結ユニットは、アンテナユニット底部に組み合わさり、その上には、１つの底板を有し、前記底板上には、１つの貫通孔を設け、前記貫通孔は、信号フィード体の末端を通過させ、回路板と固定し、電気接続させる。また、底板上には、複数のグリッパーを有し、前記グリッパーは、アンテナユニットの接合面上に挟み接合する。底板の両側には、下に向かって２つの対称なコネクターを延伸し、前記コネクターの一側には、凸部を設け、前記凸部は、回路板と接続する。
【０００８】
１つの回路板は、その上の一側には、１組の接合孔を有し、前記接合孔は前記凸部と連結する。また、回路板の別の二側には、２つの対称な切り口を有し、前記切り口は、１つの保護体を接合させる。
１つの蓋体は、その上に１つの上板を有し、前記上板の両側には２つの対称な側面板を湾折し、前記２つの側面板上には、それぞれ１つの凸部を有し、前記凸部は、回路板の２つの切り口上に固定接地される。
【考案の効果】
【０００９】
本考案のモジュール化したアンテナ構造は、アンテナ構造が電子装置の回路主基板上に直接溶接固定できるようにしてなり、製造上更に簡単、容易にし、また、製造コストを低減させる。
【考案を実施するための最良の形態】
【００１０】
本考案の好適なモジュール化平板対称式アンテナ構造の実施例を、図面を参照して説明する。
図２，３は、本考案のアンテナ構造外観立体図および分解説明図である。図に示すように、本考案のモジュール化平板アンテナ構造は１つのアンテナユニット１、１つの連結ユニット２、回路板３、および１つの蓋体４を含む。前記連結ユニット２は、アンテナユニット１と回路板３を連結し、アンテナユニットと回路板３に垂直状態のモジュール化アンテナを形成させる。
【００１１】
上記アンテナユニット１は、立方体の平板アンテナであり、その上には、陶磁器媒質のベース１１を有し、前記ベース１１表面に１つの輻射金属片１２を有し、ベース１１の底面には、接地金属片１３を有し、前記ベース１１、輻射金属片１２および接地金属片１３上には、１つの通孔１４を設け、前記通孔１４は、１つのＴ形状の信号フィード体１５を通過させ、前記信号フィード体１５の半円形端頭１５１および前記輻射金属片１２は電気接続し、輻射金属片１２に信号受信端を形成させ、信号フィード体１５は、１つの信号のフィード端を形成する。接地金属片１３を通過した信号フィード体１５の末端１５２は接地金属片１３と連結せず、回路板３とだけ電気接続し、前記アンテナユニット１に受信させた信号は、回路板３上に直接伝達し受信させることができる。また、前記ベース１１の側辺は、４つの側面１６を有し、各側面１６間は、側面１６より面積の小さい接合面１７を有し、連結ユニット２を接合させる。
【００１２】
前記連結ユニット２は、アンテナユニット１底部に組み合わさり、その上には、アンテナユニット１表面または底部と同形状の１つの底板２１を有し、前記底板２１上には、１つの通孔２２を設け、前記通孔２２は、信号フィード体１５の末端１５２を通過させ、回路板３と固定し、電気接続させる。また、底板２１の四隅には、上部に向かって複数のグリッパー２３を延伸し、前記グリッパー２３は、アンテナユニット１の接合面１７上に挟み接合する；底板２１の両側には、下に向かって２つの対称なＬ形のコネクター２４を延伸し、前記コネクター２４の一側には、凸部２５を設け、前記凸部２５は、回路板３と接続する。
【００１３】
図５，図６において、前記回路体３はその上に１つの公知の回路を有し、回路は１つのフィルター３１およびアンプリファー３２を含む。前記フィルター３１は、信号中の帯びるノイズを濾過し、濾過された後の信号は、更に、アンプリファー３２により拡大された後、電子装置の回路主基板上に伝送される。または、レシーバーモジュール３５（ＧＰＳシステムの回路等）をフィルター３１およびアンプリファー３２と同一の回路板３上に製造し、前記フィルター３１は、信号中に帯びるノイズを濾過することに用い、濾過した後の信号は、更にアンプリファー３２により拡大された後、レシーバーモジュール３５上に伝送し、レシーバーモジュール３５が処理した後、信号を回路主基板上に伝送し、手持ち式の電子装置上に衛星測位システムの関連画像またはデータを表示させることができる。また、回路板３の一側上には、１組の接合孔３３を有し、前記接合孔３３は前記凸部２５と接続する。また、回路板３の他の二側は、対称な切り口３４を有し、前記切り口は、１つの保護蓋体４を接合させる。
【００１４】
前記蓋体４は、金属材質から製成される１つのＵ形であり、その上には、１つの上面板４１を有し、前記上面板４１の両側には、２つの対称な側面板４２を湾折し、前記側面板４２上には、それぞれ１つの凸部４３を有し、前記凸部４３は、回路板３の２つの切り口３４上に固定し、前記蓋体４は、回路板３が電磁波の妨害または外部からの衝撃を受けないように保護する。
【００１５】
図６，図７は、本考案のアンテナ構造および電子装置の回路主基板を連結した使用状態および側面説明図である。図６、図７に示すように、連結ユニット２は、アンテナユニット１底部に固定する時、前記グリッパー２３が、アンテナユニット１の接合面１７上にグリップすると同時に前記アンテナユニット１の信号フィード体１５の末端１５２が、底板２１の通孔２２を貫通し、回路板３と溶接固定し、電気接続し、コネクター２４の凸部２５は、回路板３の接合孔３３と接合し、蓋体の両側の凸部４３を回路板３の切り口３４中に係合する。
【００１６】
連結ユニット２がアンテナユニット１を回路板３に連結した後、アンテナユニット１を回路板３と垂直状態を呈して接続させ、アンテナユニット１の信号を受信する輻射金属片１２を上に向け、信号の受信に有利にする。アンテナ構造および電子装置の回路主基板５が連結する時、アンテナユニット１は、前記回路主基板５上方の切り口５１中に収容される。この種の連結方式は、アンテナモジュールの回路板３を電子装置の殻体上に固定する必要がないようにし、導線を介して回路板３と回路主基板５を連結し、同時に電気接続する接点の数量を低減し、信号の減衰を回避することができる。
【００１７】
図８は、本考案のアンテナ構造の他の実施例説明図である。図８に示すように、本図式中に掲載されるモジュール化平板アンテナ構造の大部分は、図２、図３と同一であり、異なる箇所は、前記連結ユニット６は、ストリップ状板体６１を有し、前記板体６１一端は、湾折しＬ形のラッチ部６２を呈し、前記アンテナユニット１の表面上に嵌合し、板体６１他端の両側は、湾折し、１つの対称なグリッパー６３を有し、前記グリッパー６３は、前記回路板３上にグリップする。連結ユニット６は、アンテナユニット１および回路板３に連結した後、アンテナユニット１を回路板３と垂直状態にする。
【００１８】
図９は、本考案のアンテナ構造の他の実施例の説明図である。図９に示すように、アンテナユニット１、連結ユニット２、回路板３および蓋体４を組み立て完成後、螺子（または支持体）７のいずれか１種を利用し、アンテナ構造を回路基板５上に固定し、伝送配線８および配線コネクタ８１を通して回路起案を電気接続する。この固定接続方式は、依然としてアンテナ構造を回路基板５と相互に垂直またはＴ形モジュール形態を保持させ、且つ回路主基板の配線面積を占めず、電子装置使用時、依然としてアンテナ構造を上に向ける。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２０】
【図１】従来のアンテナ構造外観立体説明図である。
【図２】本考案の実施例のアンテナ構造外観立体説明図である。
【図３】本考案の実施例のアンテナ構造分解説明図である。
【図４】本考案の実施例の回路板の回路のブロック図である。
【図５】本考案の他の実施例の回路板の回路のブロック図である。
【図６】本考案の実施例のアンテナ構造と電子装置の回路主基板との連結使用状態説明図である。
【図７】本考案の実施例のアンテナ構造と電子装置の回路主基板との連結側面図である。
【図８】本考案の実施例のアンテナ構造の他の実施例説明図である。
【図９】本考案の実施例のアンテナ構造の他の実施例説明図である。
【符号の説明】
【００２１】
１Ａ アンテナユニット
２Ａ 回路板
３Ａ 殻体
３１Ａ 固定溝
４Ａ 導線
５Ａ 回路主基板
１ アンテナユニット
１１ ベース
１２ 輻射金属片
１３ 接地金属片
１４，２２ 通孔
１５ 信号フィード体
１５１ 端頭
１５２ 末端
１６ 側面
２  連結ユニット
２１ 底板
２３ グリッパー
２４ コネクター
２５ 凸部
３ 回路板
３１ フィルター
３２ アンプリファー
３３ 接合孔
３４ 切り口
３５ レシーバーモジュール
４ 蓋体
４１ 上面板
４２ 側面板
４３  凸部、
５ 回路主基板
５１  切り口
６  連結ユニット
６１ ストリップ状板体
６２ ラッチ部
６３ グリッパー
７  螺子（または支持体）
８  伝送配線
８１  配線コネクタ
【図１】
0003132454.tif 000003
【図２】
0003132454.tif 000004
【図３】
0003132454.tif 000005
【図４】
0003132454.tif 000006
【図５】
0003132454.tif 000007
【図６】
0003132454.tif 000008
【図７】
0003132454.tif 000009
【図８】
0003132454.tif 000010
【図９】
0003132454.tif 000011